(57)【要約】【課題】複数のインタフェースを備える通信装置に関し、音声呼やメール等のデータ呼のような通信内容に応じて着信の許可、不許可を行い、複数のインタフェースによる複合的な着信を実現することにある。【解決手段】複数のネットワーク（セルラネットワーク６、ＷＬＡＮネットワーク８）と無線接続され、各ネットワークとの間で発着信を行える構成であって、前記ネットワークに対応する複数のインタフェース部（セルラインタフェース部ＣＩ、ＷＬＡＮインタフェース部ＷＩ）を備え、前記ネットワークと前記インタフェース部との通信内容の判断に基づき、前記インタフェース部に対する着信を許可又は不許可に制御し、複数のインタフェース部を通信内容に応じて同時使用を可能にしている。【選択図】図２
2008072488.tif 000002
【特許請求の範囲】
【請求項１】
複数のネットワークと無線接続され、各ネットワークとの間で発着信を行える通信装置であって、
前記ネットワークに対応する複数のインタフェース部と、
前記ネットワークと前記インタフェース部との通信内容の判断に基づき、前記インタフェース部に対する着信を許可又は不許可に制御する制御部と、
を備えることを特徴とする通信装置。
【請求項２】
複数のインタフェース部を備える通信装置に無線接続され、前記インタフェース部に対する着信を受けるネットワーク装置であって、
前記通信装置の指示に基づき、前記インタフェース部に対する着信に対し、通信内容に応じて許可又は不許可を設定する設定部と、
通信先の通信内容と前記設定部の設定内容とを比較し、前記インタフェース部に対する前記着信を許可又は不許可に制御する制御部と、
を備えることを特徴とするネットワーク装置。
【請求項３】
複数のネットワークと、これらネットワークに無線接続され、各ネットワークとの間で発着信を行える通信装置とを含む通信システムであって、
前記通信装置が、前記ネットワークに対応する複数のインタフェース部を備え、前記ネットワークと前記インタフェース部との通信内容の判断に基づき、前記インタフェース部に対する着信を許可又は不許可に制御することを特徴とする通信システム。
【請求項４】
複数のネットワークと通信装置とを無線接続し、前記通信装置と各ネットワークとの間で発着信に用いられる通信方法であって、
前記ネットワークと前記通信装置に含まれる複数のインタフェース部の何れかとの無線接続を行うステップと、
前記ネットワークと前記インタフェース部との通信内容の判断に基づき、前記インタフェース部に対する着信を許可又は不許可に制御するステップと、
を含むことを特徴とする通信方法。
【請求項５】
複数のネットワークと通信装置とを無線接続し、前記通信装置と各ネットワークとの間で発着信に用いられ、コンピュータによって実行される通信プログラムであって、
前記ネットワークと前記通信装置に含まれる複数のインタフェース部の何れかとの無線接続を行うステップと、
前記ネットワークと前記インタフェース部との通信内容の判断に基づき、前記インタフェース部に対する着信を許可又は不許可に制御するステップと、
を含むことを特徴とする通信プログラム。
【発明の詳細な説明】
【技術分野】
【０００１】
本発明は、ＷＬＡＮ（Wireless Local Area Network ）に対応するインタフェース、セルラネットワークに対応するインタフェース等、複数のネットワークに対応してインタフェースを備え、着信の通信内容に応じた通信制御に関し、特に、音声呼、データ呼等の通信内容に応じたインタフェースに着信許可、着信拒絶等の通信条件を設定して複合的な着信が行える通信装置、ネットワーク装置、通信システム、通信方法及び通信プログラムに関する。
【背景技術】
【０００２】
携帯電話等の移動体通信に関し、セルラ（cellular communication system ）ネットワーク、ＷＬＡＮ等の規格があり、セルラネットワークには例えばＣＤＭＡ（Code Division Multiple Access ）−２０００、Ｗ−ＣＤＭＡ（Wideband Code Division Multiple Access）やＧＳＭ（Global System for Mobile Communications ）等があり、ＷＬＡＮには例えば、 ＩＥＥＥ（Institute of Electrical and Electronic Engineers）８０２．１１ｇ、ＷｉＭＡＸ（Worldwide Interoperability for Microwave Access ）等が存在する。各ネットワークに対応するには回線インタフェースが必要であり、双方のネットワークに対応する通信端末装置には、二つの回線インタフェースが必要である。即ち、各ネットワークに対応する回線インタフェースを有する通信端末装置を便宜上「ＤＵＡＬ端末装置」と呼ぶこととする。
【０００３】
このようなセルラネットワークやＷＬＡＮ等の複数のネットワークに跨がる移動体通信に関し、特許文献１には、近距離電話は陸上通信線により、長距離電話は無線アクセス通信装置によって通信を行う通信システムが開示されている。特許文献２には、通信端末が良好な通信状態を確保できる地域情報や、複数の接続形態の中、良好な通信状態を確保できる通信情報を受け、一定区域のみでの通信可能な固定モード、移動しながら通信可能な移動モード、携帯端末通信網、ＰＨＳ（Personal Handyphone System）通信網、有線通信網等の接続形態の選択を可能にした通信システムが開示されている。特許文献３には、ユーザ機器が無線電話ネットワークに関してアイドルであり、ＷＬＡＮに対してアクティブである場合に、携帯電話ネットワークがＷＬＡＮと携帯電話ネットワークとのデータ信号接続を用いてＷＬＡＮの無線チャネル経由でユーザ機器を呼び出すことができること、ユーザ機器が無線電話ネットワーク及びＷＬＡＮに対してアイドルである場合に、ＷＬＡＮ及び携帯電話ネットワークがＷＬＡＮと携帯電話ネットワークとのデータ信号接続を用いてユーザ機器を呼び出すことができること等が開示されている。
【特許文献１】特表２００２−５０１３５３号公報（段落番号００２２及び図１）
【特許文献２】特開２００５−３３７０７号公報（要約、図１）
【特許文献３】特表２００５−５３１９８４号公報（段落番号００２３、００３４、図１、図４、図７）
【発明の開示】
【発明が解決しようとする課題】
【０００４】
特許文献１に記載された通信システムでは、ワイヤレス通信装置の電源を切断する場合には、交換機に加入者識別子の登録を解除しているが、電源が落ちるとセンタでの登録も抹消されるので、ＰＳＴＮ（Public Switched Telephone Network ）経由で迂回して構内交換機が着信することはない。また、特許文献２では、端末装置が接続形態｛移動モードか固定モード（ＷＬＡＮや有線等のローカルモード）｝を示す宣言信号を送信し、また、ネットワーク側がネットワークの状態を把握し、端末装置へ通知しているにすぎない。また、特許文献３では、携帯電話ネットワークとＷＬＡＮに対応するインタフェースに対し、接続設定された側に自動的に転送することを開示しているにすぎない。
【０００５】
ところで、複数のインタフェースを備えた通信装置において、各インタフェースに通電することは無駄な電力消費を生じさせ、バッテリで駆動する携帯機器ではバッテリの寿命に大きく影響する。そこで、休止中のインタフェースの電源を遮断することは電力消費を抑制し、携帯機器にあっては、バッテリの寿命増大に寄与することになるが、休止中のインタフェースの給電を停止させると、そのインタフェースでの通信が不能となり、通信の自由度が妨げられることになる。
【０００６】
また、無線通信にあっては、電波強度が通信品質に影響し、電波強度が不十分である場合には通信不能に陥ることになる。セルラネットワークやＷＬＡＮ等の複数のネットワークに対応する複数のインタフェースを備えた通信装置では、電波強度に応じてネットワークを選択することが可能であり、電波強度の低下による通信遮断を回避できるメリットがある。
【０００７】
また、セルラネットワークやＷＬＡＮ等の複数のネットワークにあっては、利用課金等の通信条件が相違し、必要に応じて選択する自由度がユーザに与えられており、複数のインタフェースから通信条件に応じて最適なインタフェースを選択すれば、経済的な通信が可能になるであろう。
【０００８】
しかしながら、セルラネットワークやＷＬＡＮ等の複数のネットワークに対応可能な複数のインタフェースを備えた通信装置においても、一人のユーザが複数のインタフェースを同時に用いることには自ずと制約があるものの、通信装置が対応可能な着信内容には音声による通話、メール等のデータの授受、その他の通信が存在し、その通信内容は多岐に亘っている。
【０００９】
このような通信環境において、複数のインタフェースを備えている通信装置では、インタフェースの有効利用等、利便性の拡大が望まれている。このような課題に対し、特許文献１、２、３にはその開示や示唆はなく、また、その解決手段についての開示や示唆もない。
【００１０】
そこで、本発明の目的は、複数のネットワークに対応するための複数のインタフェースを備える通信装置に関し、音声呼やメール等のデータ呼のような通信内容に応じてインタフェースに対する着信の許可、不許可を行い、複数のインタフェースによる複合的な着信を実現することにある。
【課題を解決するための手段】
【００１１】
上記目的を達成するため、本発明は、複数のネットワークに対応する複数のインタフェース部を備える通信装置に関し、ネットワークとインタフェース部との通信内容に応じて着信の許可、不許可の判断を行い、複数のインタフェース部を通信内容に応じて同時使用可能にしたものである。例えば、一つのインタフェース部での通話中に他のインタフェース部に対する着信があった場合、その着信の通信内容がデータであれば、着信許可、その通信内容が音声であれば、着信不許可の処理が可能となる。斯かる処理を行えば、通信を妨げることなく、通信内容により着信を可能にし、通信範囲の拡大を図っている。また、斯かる処理は通信装置側、ネットワーク側の何れで行ってもよい。
【００１２】
上記目的を達成するため、本発明の第１の側面は、複数のネットワークと無線接続され、各ネットワークとの間で発着信を行える通信装置であって、前記ネットワークに対応する複数のインタフェース部と、前記ネットワークと前記インタフェース部との通信内容の判断に基づき、前記インタフェース部に対する着信を許可又は不許可に制御する制御部とを備える構成である。斯かる構成により、上記目的を達成することができる。
【００１３】
上記目的を達成するため、本発明の第２の側面は、複数のインタフェース部を備える通信装置に無線接続され、前記インタフェース部に対する着信を受けるネットワーク装置であって、前記通信装置の指示に基づき、前記インタフェース部に対する着信に対し、通信内容に応じて許可又は不許可を設定する設定部と、通信先の通信内容と前記設定部の設定内容とを比較し、前記インタフェース部に対する前記着信を許可又は不許可に制御する制御部とを備える構成である。斯かる構成によっても、上記目的を達成することができる。
【００１４】
上記目的を達成するため、本発明の第３の側面は、複数のネットワークと、これらネットワークに無線接続され、各ネットワークとの間で発着信を行える通信装置とを含む通信システムであって、前記通信装置が、前記ネットワークに対応する複数のインタフェース部を備え、前記ネットワークと前記インタフェース部との通信内容の判断に基づき、前記インタフェース部に対する着信を許可又は不許可に制御する構成である。斯かる構成によっても、上記目的を達成することができる。
【００１５】
上記目的を達成するため、本発明の第４の側面は、複数のネットワークと通信装置とを無線接続し、前記通信装置と各ネットワークとの間で発着信に用いられる通信方法であって、前記ネットワークと前記通信装置に含まれる複数のインタフェース部の何れかとの無線接続を行うステップと、前記ネットワークと前記インタフェース部との通信内容の判断に基づき、前記インタフェース部に対する着信を許可又は不許可に制御するステップとを含む構成である。斯かる構成によっても、上記目的を達成することができる。
【００１６】
上記目的を達成するため、本発明の第５の側面は、複数のネットワークと通信装置とを無線接続し、前記通信装置と各ネットワークとの間で発着信に用いられ、コンピュータによって実行される通信プログラムであって、前記ネットワークと前記通信装置に含まれる複数のインタフェース部の何れかとの無線接続を行うステップと、前記ネットワークと前記インタフェース部との通信内容の判断に基づき、前記インタフェース部に対する着信を許可又は不許可に制御するステップとを含む構成である。斯かる構成によっても、上記目的を達成することができる。
【発明の効果】
【００１７】
本発明によれば、次のような効果が得られる。
【００１８】
(1) 各インタフェース部に対し、着信内容に応じて着信を許可又は不許可に制御し、特定の通信内容で通信中にその通信内容と同一又は異なる通信内容の着信ができ、通信装置及び複数のインタフェース部の有効利用とともに、通信範囲が拡大される。
【００１９】
(2) 通信中に着信でき、利便性が高められる。
【００２０】
(3) 通信中のインタフェース部に対し、休止中のインタフェース部の有効利用を図ることができる。
【００２１】
そして、本発明の他の目的、特徴及び利点は、添付図面及び各実施の形態を参照することにより、一層明確になるであろう。
【００２２】
〔第１の実施の形態〕
【００２３】
本発明の第１の実施の形態について、図１を参照して説明する。図１は、本発明が適用される通信システムを示す図である。
【００２４】
この通信システム２は、図１に示すように、通信装置として通信端末装置４を用いて複数の通信回線（ネットワーク）として例えば、セルラネットワーク６、又はインターネット即ち、ワイヤレスＬＡＮ（Wireless Local Area Network ）８（以下、「ＷＬＡＮネットワーク８」と称する。）を通して通信が可能なシステムを構成している。この実施の形態では、複数のネットワークとしてセルラネットワーク６、ＷＬＡＮネットワーク８を例示しているが、さらに他のネットワークとの通信が可能な構成としてもよい。
【００２５】
セルラネットワーク６にはセルラ交換機１０及び基地局１２が備えられ、ＷＬＡＮネットワーク８にはＳＩＰサーバ１４及びＷＬＡＮアクセスポイント（ＷＬＡＮ−ＡＰ）１６が備えられている。また、通信端末装置４は、セルラ用電波１８により基地局１２を介してセルラ交換機１０と接続されるとともに、ＷＬＡＮ用電波２０を媒介にして中継局であるＷＬＡＮ−ＡＰ１６を介してＳＩＰサーバ１４が接続される。即ち、セルラ交換機１０は、通信端末装置４に対するセルラネットワーク６側のネットワーク装置を構成し、ＳＩＰサーバ１４は通信端末装置４に対するＷＬＡＮネットワーク８側のネットワーク装置を構成する。
【００２６】
この通信システム２では、セルラネットワーク６に対応するセルラインタフェース部ＣＩと、ＷＬＡＮネットワーク８に対応するＷＬＡＮインタフェース部ＷＩとが通信端末装置４に備えられ、これらセルラインタフェース部ＣＩ、ＷＬＡＮインタフェース部ＷＩは、ネットワークに対する通知部であって、課金や電波強度等の選択条件に応じて動作選択を行って節電を図るとともに、動作停止中の着信（いわゆる着呼）を動作維持側に迂回して通信することが可能である。この通信システム２において、セルラインタフェース部ＣＩにはセルラ電話番号、ＷＬＡＮインタフェース部ＷＩにはＷＬＡＮ電話番号が割り当てられる。
【００２７】
そこで、この通信システム２では、通信端末装置４が、セルラネットワーク６に対応するセルラインタフェース部ＣＩと、ＷＬＡＮネットワーク８に対応するＷＬＡＮインタフェース部ＷＩとを備えているので、セルラネットワーク６の基地局１２を経由し、セルラネットワーク６に接続してセルラ通信が行え、また、ＷＬＡＮ−ＡＰ１６を経由し、ＷＬＡＮネットワーク８に接続してＶｏＩＰ（Voice Over Internet Protocol）通信が行える。このような通信に対応し、セルラネットワーク６のセルラ交換機１０は呼を制御し、ＷＬＡＮネットワーク８のＳＩＰサーバ１４は、セルラネットワーク６のセルラ交換機１０に相当し、同様に呼を制御する。
【００２８】
この通信システム２では、セルラネットワーク６が音声呼のみ、ＷＬＡＮネットワーク８が音声呼及びデータ呼の双方を扱える構成であってもよく、また、セルラネットワーク６が音声呼及びデータ呼の双方を扱える構成であってもよい。
【００２９】
次に、この通信システム２を用いた通信方法について、図２を参照して説明する。図２は、通信方法の処理手順を示すフローチャートである。
【００３０】
この通信方法では、図２に示すように、セルラインタフェース部ＣＩ又はＷＬＡＮインタフェース部ＷＩの何れかを使用しての通信中、通信中以外のインタフェース部（例えば、セルラインタフェース部ＣＩを使用していれば、ＷＬＡＮインタフェース部ＷＩへの着信）に着信を受け（ステップＳ１）、現在の通信中の通信内容と着信に係る通信内容とを比較判断し（ステップＳ２）、その着信処理に対して着信の許可（ステップＳ３）又は着信の不許可（ステップＳ４）を行う。例えば、セルラインタフェース部ＣＩによる音声通話中に、ＷＬＡＮインタフェース部ＷＩに対する着信があった場合、その着信が音声呼であるか、データ呼であるかを判断し、データ呼であれば着信を許可し、通話中に他のインタフェース部であるＷＬＡＮインタフェース部ＷＩによるデータ着信を行う。
【００３１】
斯かる構成とすれば、１台の通信端末装置４を以てセルラインタフェース部ＣＩとＷＬＡＮインタフェース部ＷＩとを使い分け、着信内容により着信の許可又は着信の不許可に制御する。これにより、セルラインタフェース部ＣＩとＷＬＡＮインタフェース部ＷＩの有効利用が図られる。この結果、通信中のインタフェース部に対し、休止中のインタフェース部の有効利用が行えるとともに、通話中等の着信拒否を回避でき、通信範囲の拡大が図られる。そして、斯かる通信方法は、後述の通信プログラムの処理手順によって実行される。
【００３２】
このような通信方法についての設定は、通信端末装置４の依頼に基づく設定、又はネットワーク側での自動設定の何れであってもよいが、この実施の形態では、通信端末装置４からの依頼によって設定される構成である。
【００３３】
そこで、この通信システム２における上記通信方法を実現するための設定について、図３ないし図５を参照して説明する。図３は、ＳＩＰサーバに対する設定及び着信を示す図、図４は、セルラ交換機に対する設定及び着信を示す図、図５は、セルラ交換機に対する他の設定及び着信を示す図である。
【００３４】
セルラインタフェース部ＣＩで音声通話する場合には、図３に示すように、ＳＩＰサーバ１４に対し、着信が音声呼である場合には着信の不許可（話中による拒絶）、着信がデータ呼の場合には着信の許可の設定０１をする。斯かる設定とすれば、既述の通り、セルラインタフェース部ＣＩで音声通話による通信中に、ＷＬＡＮインタフェース部ＷＩで着信０２を受け、メール通信等のデータ通信が可能となる。
【００３５】
また、ＷＬＡＮインタフェース部ＷＩで音声通話する場合には、図４に示すように、セルラ交換機１０に対し、着信が音声呼である場合には着信の不許可（話中による拒絶）の設定０３を行う。斯かる設定とすれば、ＷＬＡＮインタフェース部ＷＩで音声通話による通信中に、セルラインタフェース部ＣＩに着信０４があった場合には、話中による着信拒否となる。
【００３６】
そして、ＷＬＡＮインタフェース部ＷＩでデータ通信をする場合には、図５に示すように、セルラ交換機１０に対し、着信が音声呼である場合には話中とせず、着信の許可の設定０５をする。斯かる設定とすれば、ＷＬＡＮインタフェース部ＷＩでメール等のデータ通信中に、セルラインタフェース部ＣＩで音声の着信０６が可能となる。
【００３７】
ところで、セルラネットワーク６によりデータ通信が行える場合には、セルラネットワーク６及びＷＬＡＮネットワーク８の双方で同時にデータ通信が行えるので、一方のネットワークでデータ通信を行っている場合に、他方のネットワークからのデータ通信の着呼の許可をする設定とすればよい。
【００３８】
〔第２の実施の形態〕
【００３９】
本発明の第２の実施の形態について、図６ないし図１３を参照して説明する。図６は、第２の実施の形態に係る通信システムを示す図、図７は、通信システムに用いられる通信端末装置の構成例を示す図、図８は、プログラム・データ格納メモリの構成例を示す図、図９は、通信端末装置の構成例を示す図、図１０は、通信システムに用いられるセルラ交換機１０の構成例を示す図、図１１は、プログラム・データ格納メモリの構成例を示す図、図１２は、通信システムに用いられるＳＩＰサーバ１４の構成例を示す図、図１３は、プログラム・データ格納メモリの構成例を示す図である。図６ないし図１３において、図１と同一部分には同一符号を付してある。
【００４０】
この通信システム２では、図６に示すように、通信端末装置４に対し、通話先である通信端末装置４０１、他の通信端末装置４０２を明示し、これら３者間での通信が行える構成を示している。この場合、セルラネットワーク６のセルラ交換機１０には、通信端末装置４、通信端末装置４０１、他の通信端末装置４０２等に対応する基地局１２１、１２２・・・が備えられ、また、ＳＩＰサーバ１４にはＷＬＡＮ−ＡＰ１６１、１６２・・・が備えられている。この場合、セルラインタフェース部ＣＩには電話番号として例えば、「090-2222-0050 」、ＷＬＡＮインタフェース部ＷＩには電話番号として例えば、「050-1111-0050 」が割り当てられている。
【００４１】
通信端末装置４には、図７に示すように、セルラインタフェース部ＣＩ、ＷＬＡＮインタフェース部ＷＩが備えられ、セルラインタフェース部ＣＩは、セルラ交換機１０と接続する基地局１２１、１２２・・・と対応するための機能部であって、アンテナ２２、セルラＲＦ（Radio Frequency ）フロントエンド部２４及びセルラベースバンド部２６を含んでいる。斯かる構成は、通信端末装置４０２においても同様である。
【００４２】
ＷＬＡＮインタフェース部ＷＩは、ＳＩＰサーバ１４側のＷＬＡＮ−ＡＰ１６１、１６２・・・に対応するための機能部であって、アンテナ２８、ＷＬＡＮ−ＲＦフロントエンド部３０及びＷＬＡＮベースバンド部３２を含んでいる。これらセルラインタフェース部ＣＩ、ＷＬＡＮインタフェース部ＷＩは独立して動作する構成であり、各インタフェース部ＣＩ、ＷＩには、個別に設けられた電源給電線３４、３６と、共通の電源制御部３８とを通して共通電源である電池４０が接続され、この電池４０の給電が電源制御部３８によって制御される。具体的には、電源制御部３８が給電切替え機能を備えており、セルラインタフェース部ＣＩとＷＬＡＮインタフェース部ＷＩとの給電が必要に応じて選択される。
【００４３】
これらインタフェース部ＣＩ、ＷＩ及び電源制御部３８には、給電制御、通信制御、ネットワーク側に対するインタフェース部ＣＩ、ＷＩの着信の許可又は不許可の依頼及びその制御、その他の制御を行うための制御部又は情報処理部としてコンピュータを構成するＣＰＵ（Central Processing Unit ）４２が制御線４４によって接続され、ＣＰＵ４２には、プログラム・データ格納メモリ４６、作業メモリ４８、入力部５０、表示部５２、音声制御部５４が制御線４４及びデータバス５６によって接続されている。プログラム・データ格納メモリ４６は、ＲＯＭ（Read-Only Memory）等の記録媒体で構成され、このプログラム・データ格納メモリ４６には、例えば、図８に示すように、プログラム格納領域５８、データ格納領域６０が設定され、プログラム格納領域５８には通信制御プログラム６２等のプログラムが格納され、データ格納領域６０には各種データが格納される。作業メモリ４８は、ＲＡＭ（Random-Access Memory）で構成され、作業エリアとして用いられる。
【００４４】
入力部５０は、ＣＰＵ４２によって制御され、ＣＰＵ４２に対する各種情報の入力手段であって、例えば、キーボードで構成される。表示部５２は、ＣＰＵ４２の制御に基づき、通信先、選択されたインタフェース部ＣＩ、ＷＩの選択情報、メール情報等、各種の情報が表示される。音声制御部５４は、ＣＰＵ４２の制御に基づき、通話音声の送受を実行する。そこで、音声制御部５４には、受話信号を音声として再生し、出力するスピーカ６４、送話音声を入力し、電気信号に変換するマイクロフォン６６が接続されている。
【００４５】
この通信端末装置４は、図９に示すように、筐体部６７、６９をヒンジ部７１で折畳み可能に構成し、筐体部６７にカーソルキーや文字キーを含む入力部５０、マイクロフォン６６を備え、筐体部６９にアンテナ２２、２８、例えばＬＣＤ（Liquid Crystal Display）で構成される表示部５２、スピーカ６４等を備えている。表示部５２には、通話開始や通話中にセルラインタフェース部ＣＩ又はＷＬＡＮインタフェース部ＷＩの電源の接続の状態等が表示される。これらの電源接続の切替えをマニュアル操作で行う場合には、そのダイアログ表示や、設定指示の内容が表示部５２に表示される。
【００４６】
また、セルラ交換機１０には、図１０に示すように、通信端末装置４の他、複数の通信端末に対応する基地局１２１、１２２、・・・１２Ｎ及び加入者線インタフェース部６８１、６８２、・・・６８Ｎが備えられ、これら加入者線インタフェース部６８１、６８２、・・・６８Ｎは交換スイッチ部７０に接続され、この交換スイッチ部７０には回線インタフェース部７２が接続されている。交換スイッチ部７０は、着信に応じて回線インタフェース部７２を選択し、通信先間の接続を行う。回線インタフェース部７２は、回線からの着呼信号を受け付け、交換スイッチ部７０に伝送する。
【００４７】
これら加入者線インタフェース部６８１、６８２、・・・６８Ｎ、交換スイッチ部７０及び回線インタフェース部７２は、制御線７４により、コンピュータを構成するＣＰＵ７６、プログラム・データ格納メモリ７８、作業メモリ８０に接続され、ＣＰＵ７６、プログラム・データ格納メモリ７８、作業メモリ８０は、データバス８２で接続される。ＣＰＵ７６は、制御部及び情報処理部であって、通信内容に応じて着信の許可又は不許可を設定する設定部としてのプログラム・データ格納メモリ７８に格納されているプログラムを実行し、加入者線インタフェース部６８１、６８２、・・・６８Ｎ、交換スイッチ部７０及び回線インタフェース部７２を制御し、着信処理、通信端末装置４からの切替え指示通知を受け、その通知内容をプログラム・データ格納メモリ７８に格納し、着信を契機に切替え指示通知内容の実行等の通信制御を実行する。プログラム・データ格納メモリ７８には、図１１に示すように、プログラム格納領域８４、データ格納領域８６が備えられ、プログラム格納領域８４には、通信制御プログラム６２に対応する通信制御プログラムが格納されている。また、作業メモリ８０はＲＡＭで構成され、作業エリアに用いられる。
【００４８】
また、ＳＩＰサーバ１４には、図１２に示すように、ＷＬＡＮネットワーク８に接続されるネットワークインタフェース部８８が備えられ、このネットワークインタフェース部８８には、制御部又は情報処理部としてＣＰＵ９０、通信内容に応じて着信の許可又は不許可を設定する設定部としてのプログラム・データ格納メモリ９２、作業メモリ９４が制御線９６及びデータバス９８により接続されている。プログラム・データ格納メモリ９２には、図１３に示すように、プログラム格納領域１００、データ格納領域１０２が備えられ、プログラム格納領域１００には、通信制御プログラム６２に対応する通信制御プログラムが格納されている。また、作業メモリ９４はＲＡＭで構成され、作業エリアに用いられる。
【００４９】
次に、セルラネットワーク６のセルラ交換機１０、ＷＬＡＮネットワーク８のＳＩＰサーバ１４のアドレス管理について、図１４及び図１５を参照して説明する。図１４は、セルラ交換機上のアドレス管理テーブルの一例を示す図、図１５は、ＳＩＰサーバ上のアドレス管理テーブルの一例を示す図である。
【００５０】
セルラ交換機１０のプログラム・データ格納メモリ７８のデータ格納領域８６（図１１）には、図１４に示すアドレス管理テーブル１０４が設定されている。このアドレス管理テーブル１０４は、通信先の電話番号に対し、通話中フラグ、着信許可・不許可フラグを表す情報を管理する手段であって、このアドレス管理テーブル１０４には、接続対象である電話番号を格納する電話番号欄、通話中フラグの設定欄、音声着信許可・不許可フラグの設定欄が備えられている。通話中フラグの設定欄には、話中を表す「１」、呼設定無しを表す「０」の何れかが設定される。また、音声着信許可・不許可フラグの設定欄には、「拒否する」（＝不許可）を表す「１」、「拒否しない」（＝許可）を表す「０」が設定される。電話番号欄に格納された一例としての電話番号「050-1111-0049 」に対し、通話中フラグには、「０」（＝呼設定無し）、また、音声着信許可・不許可フラグには、「０」（＝拒否しない）が設定されている。また、一例としての電話番号「050-1111-0050 」に対し、通話中フラグには、「０」（＝呼設定無し）、また、音声着信許可・不許可フラグには、「１」（＝拒否する）が設定されている。これらの設定は、セルラ交換機１０のプログラム・データ格納メモリ７８にある通信制御プログラムを実行させ、通信端末装置４からの依頼及び入力データにより設定される。
【００５１】
ＳＩＰサーバ１４のプログラム・データ格納メモリ９２のデータ格納領域１０２（図１３）には、図１５に示すアドレス管理テーブル１０６が設定されている。このアドレス管理テーブル１０６は、通信先の電話番号に対し、ＩＰアドレス、通話中フラグ、着信許可・不許可フラグを表す情報を管理する手段であって、このアドレス管理テーブル１０６には、接続対象である電話番号を格納する電話番号欄、ＩＰアドレス欄、通話中フラグの設定欄、音声着信許可・不許可フラグの設定欄が備えられている。このアドレス管理テーブル１０６においても、通話中フラグの設定欄には、話中を表す「１」、呼設定無しを表す「０」の何れかが設定される。また、音声着信許可・不許可フラグの設定欄には、「拒否する」（＝不許可）を表す「１」、「拒否しない」（＝許可）を表す「０」が設定される。そこで、電話番号欄に格納された一例としての電話番号「050-1111-0049 」に対し、ＩＰアドレスには「10.18.42.111」、通話中フラグには、「０」（＝呼設定無し）、また、音声着信許可・不許可フラグには、「０」（＝拒否しない）が設定されている。また、一例としての電話番号「050-1111-0050 」に対し、ＩＰアドレスには「10.18.42.50 」、通話中フラグには、「０」（＝呼設定無し）、また、音声着信許可・不許可フラグには、「１」（＝拒否する）が設定されている。これらの設定は、ＳＩＰサーバ１４のプログラム・データ格納メモリ９２にある通信制御プログラムを実行させ、通信端末装置４からの依頼及び入力データにより設定される。
【００５２】
次に、この通信システムの処理シーケンスについて、図１６、図１７、図１８、図１９、図２０及び図２１を参照して説明する。図１６は、音声着信の場合の処理シーケンスを示す図、図１７は、データ着信の場合の処理シーケンスを示す図、図１８は、着信拒否の場合の処理シーケンスを示す図、図１９は、着信許可の場合の処理シーケンスを示す図、図２０は、音声着信の場合の動作を示す図、図２１は、データ着信の場合の動作を示す図である。
【００５３】
各処理シーケンス（図１６〜図１９）は、図６に示す通信システム２において、通信端末装置４と、セルラ交換機１０、ＳＩＰサーバ１４、通信端末装置４０１又は他の通信端末装置４０２との間で行われる通信制御プログラムの処理手順である。
【００５４】
(1) 音声着信の場合の処理
【００５５】
音声着信の場合では、図１６に示すように、通信端末装置４のＷＬＡＮインタフェース部ＷＩからＳＩＰサーバ１４に対し、音声着信拒否の設定を依頼する（ステップＳ１０１）。セルラインタフェース部ＣＩからセルラ交換機１０に対し接続依頼が発生し（ステップＳ１０２）、この接続依頼に基づき、セルラ交換機１０から他の通信端末装置４０２のセルラインタフェース部ＣＩに対し呼Ｘの設定が行われ（ステップＳ１０３）、通信端末装置４のセルラインタフェース部ＣＩと通信端末装置４０２のセルラインタフェース部ＣＩとの間で通話が成立する（ステップＳ１０４）。この通話については、切断依頼（ステップＳ１０７）が発せられるまで、通話継続となる。
【００５６】
この通話継続中において、通信端末装置４０１からＳＩＰサーバ１４に対し、音声呼の設定依頼が発生すると（ステップＳ１０５）、ＳＩＰサーバ１４には、音声着信拒否の依頼に基づく設定があり、このため、音声呼の設定が拒否される（ステップＳ１０６）。即ち、話中による着信拒否が実行される。
【００５７】
通話の終了に伴い、通信端末装置４のセルラインタフェース部ＣＩから発せられた切断依頼をセルラ交換機１０が受けると（ステップＳ１０７）、セルラ交換機１０から通信端末装置４０２に対し、呼Ｘの切断が実行される（ステップＳ１０８）。これにより、通話継続が解除される。この通話継続解除に対応し、通信端末装置４のＷＬＡＮインタフェース部ＷＩからＳＩＰサーバ１４に対し、音声着信拒否の解除依頼が発せられ（ステップＳ１０９）、ＳＩＰサーバ１４の音声着信拒否の設定が解除される。
【００５８】
(2) データ着信の場合の処理
【００５９】
データ着信の場合には、図１７に示すように、通信端末装置４のＷＬＡＮインタフェース部ＷＩからＳＩＰサーバ１４に対し、音声着信拒否の設定を依頼する（ステップＳ２０１）。セルラインタフェース部ＣＩからセルラ交換機１０に対し接続依頼が発生し（ステップＳ２０２）、この接続依頼に基づき、セルラ交換機１０から通信端末装置４０２のセルラインタフェース部ＣＩに対し呼Ｘの設定が行われ（ステップＳ２０３）、通信端末装置４のセルラインタフェース部ＣＩと通信端末装置４０２のセルラインタフェース部ＣＩとの間で通話が成立する（ステップＳ２０４）。この通話については、切断依頼（ステップＳ２１０）が発せられるまで、通話継続となる。
【００６０】
この通話継続中において、通信端末装置４０１からＳＩＰサーバ１４に対し、データ呼の設定依頼が発生し（ステップＳ２０５）、これを受けたＳＩＰサーバ１４では、データ呼の許可の設定があるので、通信端末装置４のＷＬＡＮインタフェース部ＷＩに対し、データ呼設定の依頼が発せられ（ステップＳ２０６）、通信端末装置４のＷＬＡＮインタフェース部ＷＩから接続受入れの了解が発せられ（ステップＳ２０７）、これを受けたＳＩＰサーバ１４から通信端末装置４０１に対し、接続受入れ了解通知が発せられる（ステップＳ２０８）。この結果、通信端末装置４のセルラインタフェース部ＣＩと通信端末装置４０２との通話継続中において、通信端末装置４のＷＬＡＮインタフェース部ＷＩと通信端末装置４０１との間でデータ呼による通信が実行される（ステップＳ２０９）。
【００６１】
通話の終了に伴い、通信端末装置４のセルラインタフェース部ＣＩから発せられた切断依頼をセルラ交換機１０が受けると（ステップＳ２１０）、セルラ交換機１０から通信端末装置４０２に対し、呼Ｘの切断が実行される（ステップＳ２１１）。これにより、通話継続が解除される。この通話継続解除に対応し、通信端末装置４のＷＬＡＮインタフェース部ＷＩからＳＩＰサーバ１４に対し、音声着信拒否の解除依頼が発せられ（ステップＳ２１２）、ＳＩＰサーバ１４の音声着信拒否の設定が解除される。
【００６２】
(3) 着信拒否の場合の処理
【００６３】
着信拒否の場合には、図１８に示すように、通信端末装置４のＷＬＡＮインタフェース部ＷＩからＳＩＰサーバ１４に対し、着信拒否の設定を依頼する（ステップＳ３０１）。セルラインタフェース部ＣＩからセルラ交換機１０に対し接続依頼が発生し（ステップＳ３０２）、この接続依頼に基づき、セルラ交換機１０から通信端末装置４０２のセルラインタフェース部ＣＩに対し呼Ｘの設定が行われ（ステップＳ３０３）、通信端末装置４のセルラインタフェース部ＣＩと通信端末装置４０２のセルラインタフェース部ＣＩとの間で通話が成立する（ステップＳ３０４）。この通話については、切断依頼（ステップＳ３０７）が発せられるまで、通話継続となる。
【００６４】
この通話継続中において、通信端末装置４０１からＳＩＰサーバ１４に対し、呼設定の依頼が発生し（ステップＳ３０５）、これを受けたＳＩＰサーバ１４では、着信拒否の設定があるので、ＳＩＰサーバ１４から通信端末装置４０１に対し、着信拒否の通知が発せられる（ステップＳ３０６）。
【００６５】
通話の終了に伴い、通信端末装置４のセルラインタフェース部ＣＩから発せられた切断依頼をセルラ交換機１０が受けると（ステップＳ３０７）、セルラ交換機１０から通信端末装置４０２に対し、呼Ｘの切断が実行される（ステップＳ３０８）。これにより、通話継続が解除される。この通話継続解除に対応し、通信端末装置４のＷＬＡＮインタフェース部ＷＩからＳＩＰサーバ１４に対し、着信拒否の解除依頼が発せられ（ステップＳ３０９）、ＳＩＰサーバ１４の着信拒否の設定が解除される。
【００６６】
(4) 着信許可の場合の処理
【００６７】
着信許可の場合には、図１９に示すように、通信端末装置４のＷＬＡＮインタフェース部ＷＩからＳＩＰサーバ１４に対し、音声着信許可の設定を依頼する（ステップＳ４０１）。セルラインタフェース部ＣＩからセルラ交換機１０に対し接続依頼が発生し（ステップＳ４０２）、この接続依頼に基づき、セルラ交換機１０から通信端末装置４０２のセルラインタフェース部ＣＩに対し呼Ｘの設定が行われ（ステップＳ４０３）、通信端末装置４のセルラインタフェース部ＣＩと通信端末装置４０２のセルラインタフェース部ＣＩとの間で通話が成立する（ステップＳ４０４）。この通話については、切断依頼（ステップＳ４１０）が発せられるまで、通話継続となる。
【００６８】
この通話継続中において、通信端末装置４０１からＳＩＰサーバ１４に対し、呼の設定依頼が発生し（ステップＳ４０５）、これを受けたＳＩＰサーバ１４では、着信許可の設定があるので、通信端末装置４のＷＬＡＮインタフェース部ＷＩに対し、呼設定の依頼が発せられ（ステップＳ４０６）、通信端末装置４のＷＬＡＮインタフェース部ＷＩから接続受入れの了解が発せられ（ステップＳ４０７）、これを受けたＳＩＰサーバ１４から通信端末装置４０１に対し、接続受入れ了解通知が発せられる（ステップＳ４０８）。この結果、セルラインタフェース部ＣＩと通信端末装置４０２との通話継続中において、通信端末装置４のＷＬＡＮインタフェース部ＷＩと通信端末装置４０１との間でデータ呼による通信が実行される（ステップＳ４０９）。
【００６９】
通話の終了に伴い、通信端末装置４のセルラインタフェース部ＣＩから発せられた切断依頼をセルラ交換機１０が受けると（ステップＳ４１０）、セルラ交換機１０から通信端末装置４０２に対し、呼Ｘの切断が実行される（ステップＳ４１１）。これにより、通話継続が解除される。この通話継続解除に対応し、通信端末装置４のＷＬＡＮインタフェース部ＷＩからＳＩＰサーバ１４に対し、音声着信許可の解除依頼が発せられ（ステップＳ４１２）、ＳＩＰサーバ１４の音声着信許可の設定が解除される。
【００７０】
(5) 具体的な処理形態
【００７１】
ＳＩＰサーバ１４には音声着信拒否の設定が行われていれば、図２０に示すように、通信端末装置４がセルラネットワーク６を通じて通信端末装置４０２と通信中に、通信端末装置４０１からＷＬＡＮネットワーク８のＳＩＰサーバ１４に音声呼の着信が生じた場合、ＳＩＰサーバ１４では音声着信拒否となる。
【００７２】
ＳＩＰサーバ１４にはデータ着信許可の設定が行われていれば、図２１に示すように、通信端末装置４がセルラネットワーク６を通じて通信端末装置４０２と通信中に、通信端末装置４０１からＷＬＡＮネットワーク８のＳＩＰサーバ１４にデータ呼の着信が生じた場合、ＳＩＰサーバ１４は、通信端末装置４のＷＬＡＮインタフェース部ＷＩに接続し、そのデータ着信を実行する。ＷＬＡＮインタフェース部ＷＩでは、メール等のデータを着信し、その通信内容をプログラム・データ格納メモリ４６のデータ格納領域６０に格納する。このデータ内容は、通話中又は通話完了後に表示部５２に展開し、確認することができる。
【００７３】
次に、通信端末装置４の処理手順について、図２２を参照して説明する。図２２は、通信方法を実現するための通信プログラムの処理手順を示すフローチャートである。
【００７４】
この処理手順では、発呼動作の処理と、ＳＩＰサーバ１４からのデータ呼着信通知に基づく処理とを含んでいる。
【００７５】
そこで、通信端末装置４の動作を開始すると、発呼動作か着信かを判断し（ステップＳ１）、発呼動作の場合には、ＳＩＰサーバ１４に設定を依頼する（ステップＳ２）。即ち、この場合、ＳＩＰサーバ１４に対し、ＷＬＡＮインタフェース部ＷＩへのデータ着信の許可、音声着信の拒否の設定を依頼する。この状態において、セルラインタフェース部ＣＩでは、他の通信端末装置４０２に対して発呼し、呼を成立させる（ステップＳ３）。この呼は例えば、図１６の呼Ｘである。
【００７６】
この呼の成立により、通話が行われ（ステップＳ４）、通話完了により、呼切断が行われる（ステップＳ５）。そして、ＳＩＰサーバ１４に対し、ＷＬＡＮインタフェース部ＷＩのデータ着信の許可、音声着信の拒否の設定解除を依頼する（ステップＳ６）。
【００７７】
また、ステップＳ１において、ＳＩＰサーバ１４からデータ呼の着信通知を受けた場合には、接続受入れの了解を応答し（ステップＳ７）、通信端末装置４０１からのデータ呼接続を受け入れる（ステップＳ８）。
【００７８】
次に、セルラ交換機１０の処理手順について、図２３を参照して説明する。図２３は、通信方法を実現するための通信プログラムの処理手順を示すフローチャートである。
【００７９】
セルラ交換機１０では、指示待ち状態（ステップＳ１１）において、通信端末装置４からセルラインタフェース部ＣＩで音声着信の拒否設定の依頼を受けた場合には、その依頼内容をＳＩＰサーバ１４に転送し（ステップＳ１２）、ステップＳ１１に戻る。
【００８０】
また、指示待ち状態（ステップＳ１１）において、通信端末装置４からセルラインタフェース部ＣＩで呼接続の要求を受けた場合には、通信端末装置４０１との呼設定処理を行い（ステップＳ１３）、ステップＳ１１に戻る。
【００８１】
次に、ＳＩＰサーバ１４の処理手順について、図２４を参照して説明する。図２４は、通信方法を実現するための通信プログラムの処理手順を示すフローチャートである。
【００８２】
この処理手順は、通信端末装置４の処理手順に対応する処理であって、既述の通信方法を実現するためのＳＩＰサーバ１４によって実行される通信プログラムの処理である。
【００８３】
この場合、ＳＩＰサーバ１４は、通信端末装置４、通信端末装置４０１からの依頼を受け、その依頼に基づく処理を実行する。
【００８４】
Ａ  音声着信の拒否設定依頼の場合
【００８５】
ＳＩＰサーバ１４では、その依頼内容を判定する（ステップＳ２１）。その依頼内容が通信端末装置４から音声着信の拒否設定の依頼を受けた場合であれば、通信端末装置４のアドレス管理テーブル１０６（図１５）の音声着信許可・不許可フラグを設定し（ステップＳ２２）、ステップＳ２１の待機状態に移行する。
【００８６】
Ｂ  呼設定要求の場合
【００８７】
また、その依頼内容が通信端末装置４０１からの呼設定要求（着信）であれば、通知された接続先相手番号をアドレス管理テーブル１０６（図１５）で検索し、通話中フラグを確認する（ステップＳ２３）。この場合、「話中」であれば、アドレス管理テーブル１０６で音声着信許可・不許可フラグを確認する（ステップＳ２４）。フラグ＝「不許可」（＝拒否）であれば、呼設定要求が音声かデータかを判断する（ステップＳ２５）。即ち、呼接続要求の要求内容から判断する。呼設定要求が音声であれば、話中であることを通知し（ステップＳ２６）、ステップＳ２１に戻る。
【００８８】
呼設定要求がデータであれば通信端末装置４にデータ呼設定依頼を行い（ステップＳ２７）、通信端末装置４から接続受入れ了解の応答を受け（ステップＳ２８）、通信端末装置４０１にその接続受入れ了解を送り（ステップＳ２９）、ステップＳ２１に戻る。
【００８９】
ところで、ステップＳ２３の通話中フラグの確認処理において、話中でない場合や、ステップＳ２４の音声着信許可・不許可フラグの確認処理において、フラグ＝受入れの場合には、通信端末装置４に対し、呼設定依頼を行い（ステップＳ３０）、通信端末装置４から接続受入れ了解の応答を受け（ステップＳ３１）、通信端末装置４０１にその接続受入れ了解を送り（ステップＳ３２）、ステップＳ２１に戻る。
【００９０】
Ｃ  音声着信拒否設定の解除の場合
【００９１】
依頼内容が通信端末装置４から音声着信の拒否設定の解除依頼を受けた場合であれば、通信端末装置４のアドレス管理テーブル１０６（図１５）の音声着信許可・不許可フラグを解除し（ステップＳ３３）、ステップＳ２１の待機状態に移行する。
【００９２】
〔第３の実施の形態〕
【００９３】
本発明の第３の実施の形態について、図２５及び図２６を参照して説明する。図２５は、ＳＩＰサーバのアドレス管理テーブルを示す図、図２６は、ＳＩＰサーバ１４の処理手順として、通信方法を実現するための通信プログラムの処理手順を示すフローチャートである。図２５において、図１５と同一部分には同一符号を付してある。
【００９４】
この第３の実施の形態においても、図１〜図５の通信システム（第１の実施の形態）の構成が用いられ、その処理が実行され、また、図６〜図１３の通信システム、図１６〜図２１の処理（第２の実施の形態）が用いられる。
【００９５】
この実施の形態では、既述のアドレス管理テーブル１０６（図１５）に対し、図２５に示すように、アドレス管理テーブル１０６０が用いられ、着信許可・不許可フラグに対し、「Ａ」、「Ｂ」及び「０」が設定され、「Ａ」では、着信種別Ａを拒否する、「Ｂ」では、着信種別Ｂを拒否する、また、「０」では、着信を拒否しない、を表している。
【００９６】
この場合、電話番号欄に格納された一例としての電話番号「050-1111-0049 」に対し、ＩＰアドレスには「10.18.42.111」、通話中フラグには、「０」（＝呼設定無し）、また、着信許可・不許可フラグには、「０」（＝拒否しない）が設定されている。また、一例としての電話番号「050-1111-0050 」に対し、ＩＰアドレスには「10.18.42.50 」、通話中フラグには、「０」（＝呼設定無し）、また、着信許可・不許可フラグには、「Ａ」（＝着信種別Ａを拒否する）が設定されている。また、一例としての電話番号「050-1111-0051 」に対し、ＩＰアドレスには「10.18.42.51 」、通話中フラグには、「０」（＝呼設定無し）、また、着信許可・不許可フラグには、「Ｂ」（＝着信種別Ｂを拒否する）が設定されている。
【００９７】
そこで、この場合のＳＩＰサーバ１４の処理手順について、図２６を参照して説明する。図２６は、通信方法を実現するための通信プログラムの処理手順を示すフローチャートである。
【００９８】
この処理手順は、通信端末装置４の処理手順に対応する処理であって、既述の通信方法を実現するためのＳＩＰサーバ１４によって実行される通信プログラムの処理である。
【００９９】
この場合、ＳＩＰサーバ１４は、通信端末装置４、通信端末装置４０１からの依頼を受け、その依頼に基づく処理を実行する。
【０１００】
Ａ  着信の拒否設定依頼の場合
【０１０１】
ＳＩＰサーバ１４では、その依頼内容を判定する（ステップＳ４１）。その依頼内容が通信端末装置４から着信の拒否設定の依頼を受けた場合であれば、通信端末装置４のアドレス管理テーブル１０６０（図２５）の着信許可・不許可フラグを設定し（ステップＳ４２）、ステップＳ４１の待機状態に移行する。
【０１０２】
Ｂ  呼設定要求の場合
【０１０３】
また、その依頼内容が通信端末装置４０１からの呼設定要求（着信）であれば、通知された接続先相手番号をアドレス管理テーブル１０６０（図２５）で検索し、通話中フラグを確認する（ステップＳ４３）。この場合、「話中」であれば、アドレス管理テーブル１０６０で着信許可・不許可フラグを確認する（ステップＳ４４）。即ち、呼設定要求の要求内容とアドレス管理テーブル１０６０の設定フラグから、着信受入れであるか着信拒否であるかを判断する（ステップＳ４５）。着信拒否であれば、話中であることを通知し（ステップＳ４６）、ステップＳ４１に戻る。
【０１０４】
着信受入れであれば、通信端末装置４にデータ呼設定依頼を行い（ステップＳ４７）、通信端末装置４から接続受入れ了解の応答を受け（ステップＳ４８）、通信端末装置４０１にその接続受入れ了解を送り（ステップＳ４９）、ステップＳ４１に戻る。
【０１０５】
ところで、ステップＳ４３の通話中フラグの確認処理において、「話中でない」場合には、通信端末装置４に対し、呼設定依頼を行い（ステップＳ５０）、通信端末装置４から接続受入れ了解の応答を受け（ステップＳ５１）、通信端末装置４０１にその接続受入れ了解を送り（ステップＳ５２）、ステップＳ４１に戻る。
【０１０６】
Ｃ  着信拒否設定の解除の場合
【０１０７】
依頼内容が通信端末装置４から着信の拒否設定の解除依頼を受けた場合であれば、通信端末装置４のアドレス管理テーブル１０６０（図２５）の着信許可・不許可フラグを解除し（ステップＳ５３）、ステップＳ４１の待機状態に移行する。
【０１０８】
〔第４の実施の形態〕
【０１０９】
本発明の第４の実施の形態について、図２７を参照して説明する。図２７は、セルラ交換機１０の処理手順として、通信方法を実現するための通信プログラムの処理手順を示すフローチャートである。
【０１１０】
この第４の実施の形態においても、図１〜図５の通信システム（第１の実施の形態）の構成が用いられ、その処理が実行され、また、図６〜図１３の通信システム、図１６〜図２１の処理（第２の実施の形態）が用いられる。
【０１１１】
この場合、セルラ交換機１０では音声の着信拒否設定の依頼を受けたか否かを判定し（ステップＳ６１）、その依頼を受けていなければ（ステップＳ６１のＮＯ）、待機状態を維持し、その着信拒否の依頼を受けていれば（ステップＳ６１のＹＥＳ）、アドレス管理テーブル１０４（図１４）の音声着信許可・不許可フラグを設定する（ステップＳ６２）。
【０１１２】
この状態で通信端末装置４０１から呼設定要求（着信）があったか否かを判定し（ステップＳ６３）、着信があれば（ステップＳ６３のＹＥＳ）、接続先の電話番号について、アドレス管理テーブル１０４（図１４）を検索し、通話中フラグを確認する（ステップＳ６４）。「話中」でなければ、アドレス管理テーブル１０４（図１４）を検索し、音声着信許可・不許可フラグを確認する（ステップＳ６５）。フラグ＝「許可」であれば、呼設定依頼（例えば、図２４のステップＳ３０）が行われ、フラグ＝「拒否」であれば、呼設定要求が音声かデータかを要求内容から判断し（ステップＳ６６）、データであれば話中であることを相手先に通知し（ステップＳ６７）、ステップＳ６３に戻る。この処理は、ステップＳ６４において、話中である場合にも同様である。
【０１１３】
ステップＳ６６において、音声であることが確認された場合には、通信端末装置４にデータ呼設定を依頼し（ステップＳ６８）、この依頼に対し、通信端末装置４から接続受入れ了解の応答があったか否かを判定し（ステップＳ６９）、接続受入れの了解があれば通信端末装置４０１に接続受入れ了解を送り（ステップＳ７０）、ステップＳ６１に戻る。
【０１１４】
〔第５の実施の形態〕
【０１１５】
本発明の第５の実施の形態について、図２８を参照して説明する。図２８は、通信方法の処理手順を示すフローチャートである。
【０１１６】
第１ないし第４の実施の形態では、通信端末装置４のセルラインタフェース部ＣＩ、ＷＬＡＮインタフェース部ＷＩに対する着信の許可又は不許可の制御を、通信端末装置４からの依頼に基づき、セルラネットワーク６、ＷＬＡＮネットワーク８側で行う構成としたが、通信端末装置４側で行う構成としてもよい。
【０１１７】
この実施の形態においても、図６に示す通信システム２、図７に示す通信端末装置４、図８に示すプログラム・データ格納メモリ４６、第１ないし第４の実施の形態で示した構成を使用する。
【０１１８】
そこで、この通信方法では、図２８に示すように、セルラインタフェース部ＣＩ又はＷＬＡＮインタフェース部ＷＩの何れかを使用しての通信中、通信中以外のインタフェース部（例えば、セルラインタフェース部ＣＩを使用していれば、ＷＬＡＮインタフェース部ＷＩへの着信）に着信を受ける（ステップＳ７１）。その通信内容について、現在の通信中の通信内容と着信に係る通信内容とを比較判断し（ステップＳ７２）、その着信処理に対して着信の許可（ステップＳ７３）又は着信の不許可（ステップＳ７４）を行う。例えば、セルラインタフェース部ＣＩによる音声通話中に、ＷＬＡＮインタフェース部ＷＩに対する着信があった場合、その着信が音声呼であるか、データ呼であるかを判断し、データ呼であれば着信を許可し、通話中に他のインタフェース部であるＷＬＡＮインタフェース部ＷＩによるデータ着信を行う。
【０１１９】
斯かる構成とすれば、１台の通信端末装置４を以てセルラインタフェース部ＣＩとＷＬＡＮインタフェース部ＷＩとを使い分け、着信内容により着信の許可又は着信の不許可に制御することができる。これにより、セルラインタフェース部ＣＩとＷＬＡＮインタフェース部ＷＩの有効利用が図られる。この結果、通信中のインタフェース部に対し、休止中のインタフェース部の有効利用が行えるとともに、通話中等の着信拒否を回避でき、通信範囲の拡大が図られる。このような通信方法は、通信端末装置４にある通信制御プログラム６２の処理手順により実行される。
【０１２０】
〔第６の実施の形態〕
【０１２１】
本発明の第６の実施の形態について、図２９を参照して説明する。図２９は、第６の実施の形態に係る通信端末装置の構成例を示す図である。図２９において、図７と同一部分には同一符号を付してある。
【０１２２】
この実施の形態では、通信端末装置４００が入力部５０にあるボタン５０２やその他の手動操作により音声を切り替えることにより、同時に複数の通信先の通信端末装置と通話できる構成である。ボタン５０２は図９に示す通信端末装置４の入力部５０にある何れかのキーに割り付ける構成とすればよい。このような通信端末装置４００を用いる場合には、セルラネットワーク６及びＷＬＡＮネットワーク８の双方での音声同時通信を許可する構成としてもよい。
【０１２３】
〔第７の実施の形態〕
【０１２４】
通信端末装置４側で着信の許可又は不許可を行う場合、セルラインタフェース部ＣＩ、ＷＬＡＮインタフェース部ＷＩに対する電源の接続を切り替える構成とすればよい。斯かる場合、電源の接続切替えは、図７に示すように、セルラインタフェース部ＣＩ、ＷＬＡＮインタフェース部ＷＩに対する電池４０の接続を選択的に切り替える構成としてもよく、また、例えば、図３０に示すように、セルラインタフェース部ＣＩのセルラＲＦフロントエンド部２４、セルラベースバンド部２６に対して個別に給電線３４１、３４２を接続し、同様に、ＷＬＡＮインタフェース部ＷＩのＷＬＡＮ−ＲＦフロントエンド部３０、ＷＬＡＮベースバンド部３２に対して個別に給電線３６１、３６２を接続することにより、各部に対する電源として電池４０の接続を電源制御部３８で切り替え、着信の許可、不許可を制御する構成としてもよい。
【０１２５】
〔他の実施の形態〕
【０１２６】
(1) 上記実施の形態では、音声通信をベースにデータ着信の許可、音声通信の不許可を設定しているが、データ通信において、データの種別で着信の許可又は不許可を制御する構成としてもよい。
【０１２７】
(2) 上記実施の形態では、通信装置として通信端末装置４を例示したが、セルラインタフェース部ＣＩとＷＬＡＮインタフェース部ＷＩとを備えて複数の通信ネットワークとの通信を可能にした通信装置であれば、本発明を適用することができ、例えば、図３１に示すように、セルラインタフェース部ＣＩとＷＬＡＮインタフェース部ＷＩとを搭載して通信機能を持つパーソナルコンピュータ（ＰＣ）５０４、５０６、５０８・・・を用いて通信システム２を構成してもよく、また、図３２に示すように、同様の機能を備えた携帯情報端末機（ＰＤＡ：Personal Digital Assistant）６０４、６０６、６０８・・・を用いて通信システム２を構成してもよい。
【０１２８】
(3) 上記実施の形態では、通信装置としてセルラインタフェース部ＣＩとＷＬＡＮインタフェース部ＷＩとを備えた通信端末装置４、ＰＣ５０４、ＰＤＡ６０４等を例示したが、このような複合通信機能を持ついわゆるＤＵＡＬ端末の他、他の通信ネットワーク例えば、ＷｉＭＡＸに対応するインタフェース部等、３以上のインタフェース部の電源切替えを行う構成としてもよい。
【０１２９】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１３０】
（付記１）  複数のネットワークと無線接続され、各ネットワークとの間で発着信を行える通信装置であって、
前記ネットワークに対応する複数のインタフェース部と、
前記ネットワークと前記インタフェース部との通信内容の判断に基づき、前記インタフェース部に対する着信を許可又は不許可に制御する制御部と、
を備えることを特徴とする通信装置。
【０１３１】
（付記２）  付記１の通信装置において、
前記制御部は、通信中のインタフェース部の通信内容と、他のインタフェース部に対する着信の通信内容とを比較し、通信内容が異なれば、前記他のインタフェース部に対する着信を許可することを特徴とする通信装置。
【０１３２】
（付記３）  付記１の通信装置において、
前記制御部は、通信中のインタフェース部の音声通話に対し、他のインタフェース部に対する着信の通信内容がデータ呼であれば、該データ呼の着信を許可することを特徴とする通信装置。
【０１３３】
（付記４）  付記１の通信装置において、
前記制御部は、通信中のインタフェース部のデータ通信に対し、他のインタフェース部に対する着信の通信内容が音声呼であれば、該音声呼の着信を許可することを特徴とする通信装置。
【０１３４】
（付記５）  付記１の通信装置において、
前記制御部は、通信中のインタフェース部の音声通話である場合、他のインタフェース部に対する着信の通信内容が音声呼であれば、複数のインタフェース部の同時音声通話を許可することを特徴とする通信装置。
【０１３５】
（付記６）  複数のインタフェース部を備える通信装置に無線接続され、前記インタフェース部に対する着信を受けるネットワーク装置であって、
前記通信装置の指示に基づき、前記インタフェース部に対する着信に対し、通信内容に応じて許可又は不許可を設定する設定部と、
通信先の通信内容と前記設定部の設定内容とを比較し、前記インタフェース部に対する前記着信を許可又は不許可に制御する制御部と、
を備えることを特徴とするネットワーク装置。
【０１３６】
（付記７）  付記６のネットワーク装置において、
前記制御部は、通信中のインタフェース部の通信内容と、他のインタフェース部に対する着信の通信内容とを比較し、通信内容が異なれば、前記他のインタフェース部に対する着信を許可することを特徴とするネットワーク装置。
【０１３７】
（付記８）  付記６のネットワーク装置において、
前記制御部は、通信中のインタフェース部の音声通話に対し、他のインタフェース部に対する着信の通信内容がデータ呼であれば、該データ呼の着信を許可することを特徴とするネットワーク装置。
【０１３８】
（付記９）  付記６のネットワーク装置において、
前記制御部は、通信中のインタフェース部のデータ通信に対し、他のインタフェース部に対する着信の通信内容が音声呼であれば、該音声呼の着信を許可することを特徴とするネットワーク装置。
【０１３９】
（付記１０）  付記６のネットワーク装置において、
前記制御部は、通信中のインタフェース部の音声通話である場合、他のインタフェース部に対する着信の通信内容が音声呼であれば、複数のインタフェース部の同時音声通話を許可することを特徴とするネットワーク装置。
【０１４０】
（付記１１）  複数のネットワークと、これらネットワークに無線接続され、各ネットワークとの間で発着信を行える通信装置とを含む通信システムであって、
前記通信装置が、前記ネットワークに対応する複数のインタフェース部を備え、前記ネットワークと前記インタフェース部との通信内容の判断に基づき、前記インタフェース部に対する着信を許可又は不許可に制御することを特徴とする通信システム。
【０１４１】
（付記１２）  付記１１の通信システムにおいて、
前記通信装置は、通信中のインタフェース部の通信内容と、他のインタフェース部に対する着信の通信内容とを比較し、通信内容が異なれば、前記他のインタフェース部に対する着信を許可することを特徴とする通信システム。
【０１４２】
（付記１３）  付記１１の通信システムにおいて、
前記通信装置は、通信中のインタフェース部の音声通話に対し、他のインタフェース部に対する着信の通信内容がデータ呼であれば、該データ呼の着信を許可することを特徴とする通信システム。
【０１４３】
（付記１４）  付記１１の通信システムにおいて、
前記通信装置は、通信中のインタフェース部のデータ通信に対し、他のインタフェース部に対する着信の通信内容が音声呼であれば、該音声呼の着信を許可することを特徴とする通信システム。
【０１４４】
（付記１５）  付記１１の通信システムにおいて、
前記通信装置は、通信中のインタフェース部の音声通話である場合、他のインタフェース部に対する着信の通信内容が音声呼であれば、複数のインタフェース部の同時音声通話を許可することを特徴とする通信システム。
【０１４５】
（付記１６）  複数のインタフェース部を備える通信装置と、この通信装置と無線接続され、前記インタフェース部に対する着信を受けるネットワーク装置とを含む通信システムであって、
前記ネットワーク装置が、前記通信装置の指示に基づき、前記インタフェース部に対する着信に対し、通信内容に応じて許可又は不許可を設定する設定部を含み、通信先の通信内容と前記設定部の設定内容とを比較し、前記インタフェース部に対する前記着信を許可又は不許可に制御することを特徴とする通信システム。
【０１４６】
（付記１７）  付記１６の通信システムにおいて、
前記ネットワーク装置は、通信中のインタフェース部の通信内容と、他のインタフェース部に対する着信の通信内容とを比較し、通信内容が異なれば、前記他のインタフェース部に対する着信を許可することを特徴とする通信システム。
【０１４７】
（付記１８）  付記１６の通信システムにおいて、
前記ネットワーク装置は、通信中のインタフェース部の音声通話に対し、他のインタフェース部に対する着信の通信内容がデータ呼であれば、該データ呼の着信を許可することを特徴とする通信システム。
【０１４８】
（付記１９）  付記１６の通信システムにおいて、
前記ネットワーク装置は、通信中のインタフェース部のデータ通信に対し、他のインタフェース部に対する着信の通信内容が音声呼であれば、該音声呼の着信を許可することを特徴とする通信システム。
【０１４９】
（付記２０）  付記１６の通信システムにおいて、
前記ネットワーク装置は、通信中のインタフェース部の音声通話である場合、他のインタフェース部に対する着信の通信内容が音声呼であれば、複数のインタフェース部の同時音声通話を許可することを特徴とする通信システム。
【０１５０】
（付記２１）  複数のネットワークと通信装置とを無線接続し、前記通信装置と各ネットワークとの間で発着信に用いられる通信方法であって、
前記ネットワークと前記通信装置に含まれる複数のインタフェース部の何れかとの無線接続を行うステップと、
前記ネットワークと前記インタフェース部との通信内容の判断に基づき、前記インタフェース部に対する着信を許可又は不許可に制御するステップと、
を含むことを特徴とする通信方法。
【０１５１】
（付記２２）  複数のインタフェース部を備える通信装置とネットワーク装置とを無線接続し、前記インタフェース部と前記ネットワーク装置との間で発着信に用いられる通信方法であって、
前記通信装置の指示に基づき、前記インタフェース部に対する着信に対し、通信内容に応じて許可又は不許可を設定するステップと、
通信先の通信内容と前記許可又は前記不許可が設定された設定内容とを比較し、前記インタフェース部に対する前記着信を許可又は不許可に制御するステップと、
を備えることを特徴とする通信方法。
【０１５２】
（付記２３）  付記２１又は２２の通信方法において、
通信中のインタフェース部の通信内容と、他のインタフェース部に対する着信の通信内容とを比較し、通信内容が異なれば、前記他のインタフェース部に対する着信を許可することを特徴とする通信方法。
【０１５３】
（付記２４）  付記２１又は２２の通信方法において、
通信中のインタフェース部の音声通話に対し、他のインタフェース部に対する着信の通信内容がデータ呼であれば、該データ呼の着信を許可することを特徴とする通信方法。
【０１５４】
（付記２５）  付記２１又は２２の通信方法において、
通信中のインタフェース部のデータ通信に対し、他のインタフェース部に対する着信の通信内容が音声呼であれば、該音声呼の着信を許可することを特徴とする通信方法。
【０１５５】
（付記２６）  付記２１又は２２の通信方法において、
通信中のインタフェース部の音声通話である場合、他のインタフェース部に対する着信の通信内容が音声呼であれば、複数のインタフェース部の同時音声通話を許可することを特徴とする通信方法。
【０１５６】
（付記２７）  複数のネットワークと通信装置とを無線接続し、前記通信装置と各ネットワークとの間で発着信に用いられ、コンピュータによって実行される通信プログラムであって、
前記ネットワークと前記通信装置に含まれる複数のインタフェース部の何れかとの無線接続を行うステップと、
前記ネットワークと前記インタフェース部との通信内容の判断に基づき、前記インタフェース部に対する着信を許可又は不許可に制御するステップと、
を含むことを特徴とする通信プログラム。
【０１５７】
（付記２８）  複数のインタフェース部を備える通信装置とネットワーク装置とを無線接続し、前記インタフェース部と前記ネットワーク装置との間で発着信に用いられ、コンピュータによって実行される通信プログラムであって、
前記通信装置の指示に基づき、前記インタフェース部に対する着信に対し、通信内容に応じて許可又は不許可を設定するステップと、
通信先の通信内容と前記許可又は前記不許可が設定された設定内容とを比較し、前記インタフェース部に対する前記着信を許可又は不許可に制御するステップと、
を備えることを特徴とする通信プログラム。
【０１５８】
（付記２９）  複数のネットワークと通信装置とを無線接続し、前記通信装置と各ネットワークとの間で発着信に用いられる通信プログラムを格納したコンピュータ読込み可能な記録媒体であって、
前記ネットワークと前記通信装置に含まれる複数のインタフェース部の何れかとの無線接続を行うステップと、
前記ネットワークと前記インタフェース部との通信内容の判断に基づき、前記インタフェース部に対する着信を許可又は不許可に制御するステップと、
を含むことを特徴とする、通信プログラムを格納したコンピュータ読込み可能な記録媒体。
【０１５９】
（付記３０）  複数のインタフェース部を備える通信装置とネットワーク装置とを無線接続し、前記インタフェース部と前記ネットワーク装置との間で発着信に用いられる通信プログラムを格納したコンピュータ読込み可能な記録媒体であって、
前記通信装置の指示に基づき、前記インタフェース部に対する着信に対し、通信内容に応じて許可又は不許可を設定するステップと、
通信先の通信内容と前記許可又は前記不許可が設定された設定内容とを比較し、前記インタフェース部に対する前記着信を許可又は不許可に制御するステップと、
を備えることを特徴とする、通信プログラムを格納したコンピュータ読込み可能な記録媒体。
【０１６０】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１６１】
本発明は、通信装置にある複数のインタフェース部に対し、着信内容に応じて着信を許可又は不許可に制御し、特定の通信内容で通信中にその通信内容と同一又は異なる通信内容の着信ができ、通信装置及び複数のインタフェース部の有効利用とともに、通信範囲が拡大され、有用である。
【図面の簡単な説明】
【０１６２】
【図１】第１の実施の形態に係る通信システムを示す図である。
【図２】第１の実施の形態に係る通信方法の処理手順の一例を示すフローチャートである。
【図３】通信システムのＳＩＰサーバに対する設定及び着信を示す図である。
【図４】通信システムのセルラ交換機に対する設定及び着信を示す図である。
【図５】通信システムのセルラ交換機に対する他の設定及び着信を示す図である。
【図６】第２の実施の形態に係る通信システムを示す図である。
【図７】通信端末装置の一例を示す図である。
【図８】プログラム・データ格納メモリの構成例を示す図である。
【図９】通信端末装置の一例を示す図である。
【図１０】セルラ交換機の一例を示す図である。
【図１１】プログラム・データ格納メモリの構成例を示す図である。
【図１２】ＳＩＰサーバの一例を示す図である。
【図１３】プログラム・データ格納メモリの構成例を示す図である。
【図１４】セルラ交換機のアドレス管理テーブルの一例を示す図である。
【図１５】ＳＩＰサーバのアドレス管理テーブルの一例を示す図である。
【図１６】音声着信の場合の処理シーケンスを示す図である。
【図１７】データ着信の場合の処理シーケンスを示す図である。
【図１８】着信拒否の場合の処理シーケンスを示す図である。
【図１９】着信許可の場合の処理シーケンスを示す図である。
【図２０】音声着信の場合の動作を示す図である。
【図２１】データ着信の場合の動作を示す図である。
【図２２】通信端末装置の通信プログラムの処理手順を示すフローチャートである。
【図２３】セルラ交換機の通信プログラムの処理手順を示すフローチャートである。
【図２４】ＳＩＰサーバの通信プログラムの処理手順を示すフローチャートである。
【図２５】第３の実施の形態に係るアドレス管理テーブルの一例を示す図である。
【図２６】ＳＩＰサーバの通信プログラムの処理手順を示すフローチャートである。
【図２７】第４の実施の形態に係るセルラ交換機の通信プログラムの処理手順を示すフローチャートである。
【図２８】第５の実施の形態に係る通信方法の処理手順の一例を示すフローチャートである。
【図２９】第６の実施の形態に係る通信端末装置の一例を示す図である。
【図３０】第７の実施の形態に係る通信端末装置の一例を示す図である。
【図３１】他の実施の形態に係る通信システムを示す図である。
【図３２】他の実施の形態に係る通信システムを示す図である。
【符号の説明】
【０１６３】
２  通信システム
４、４０１、４０２  通信端末装置
６  セルラネットワーク
８  ＷＬＡＮネットワーク
１０  セルラ交換機
１４  ＳＩＰサーバ
ＣＩ  セルラインタフェース部
ＷＩ  ＷＬＡＮインタフェース部
２４  セルラＲＦフロントエンド部
２６  セルラベースバンド部
３０  ＷＬＡＮ−ＲＦフロントエンド部
３２  ＷＬＡＮベースバンド部
３８  電源制御部
４０  電池
４２  ＣＰＵ
４６  プログラム・データ格納メモリ
６２  通信制御プログラム
７６  ＣＰＵ
７８  プログラム・データ格納メモリ
９０  ＣＰＵ
【図１】
2008072488.tif 000003
【図２】
2008072488.tif 000004
【図３】
2008072488.tif 000005
【図４】
2008072488.tif 000006
【図５】
2008072488.tif 000007
【図６】
2008072488.tif 000008
【図７】
2008072488.tif 000009
【図８】
2008072488.tif 000010
【図９】
2008072488.tif 000011
【図１０】
2008072488.tif 000012
【図１１】
2008072488.tif 000013
【図１２】
2008072488.tif 000014
【図１３】
2008072488.tif 000015
【図１４】
2008072488.tif 000016
【図１５】
2008072488.tif 000017
【図１６】
2008072488.tif 000018
【図１７】
2008072488.tif 000019
【図１８】
2008072488.tif 000020
【図１９】
2008072488.tif 000021
【図２０】
2008072488.tif 000022
【図２１】
2008072488.tif 000023
【図２２】
2008072488.tif 000024
【図２３】
2008072488.tif 000025
【図２４】
2008072488.tif 000026
【図２５】
2008072488.tif 000027
【図２６】
2008072488.tif 000028
【図２７】
2008072488.tif 000029
【図２８】
2008072488.tif 000030
【図２９】
2008072488.tif 000031
【図３０】
2008072488.tif 000032
【図３１】
2008072488.tif 000033
【図３２】
2008072488.tif 000034